(57)【要約】【課題】手間と時間をかけることなくＩＤカードを再発行することができるＩＤカード再発行システム、ＩＤカード発行装置及びＩＤカード再発行方法を提供する。【解決手段】撮影装置２と、ＩＤカード発行装置３と、を備えるＩＤカード再発行システム１０００において、ＩＤカード発行装置３には、ＩＤカードの再発行を申請した申請者のＩＤ番号を入力するＩＤ番号入力装置３２と、ＣＰＵ３１１に、ＣＰＵ３１１の抽出プログラム３１３６の実行により抽出された撮影装置識別番号によって識別された撮影装置２に、ＩＤ番号入力装置３２により入力されたＩＤ番号に対応付けられた個人情報及び顔画像情報の送信を要求する要求プログラム３１３７と、当該取得された個人情報及び顔画像情報に基づく画像を、ＩＤカードにプリントするプリント装置３３と、を備えるよう構成した。【選択図】図１
2006313480.tif 000002
【特許請求の範囲】
【請求項１】
ＩＤカードの発行を申請した申請者の顔画像情報を取得する複数の撮影装置と、当該複数の撮影装置とネットワークを介して接続されたＩＤカード発行装置と、を備えるＩＤカード再発行システムにおいて、
前記撮影装置は、
前記申請者を識別する申請者識別情報と、当該申請者の個人情報とを対応付けて記憶する個人情報記憶手段と、
前記申請者を識別する申請者識別情報と、当該撮影装置により取得された当該申請者の顔画像情報とを対応付けて記憶する顔画像情報記憶手段と、
前記申請者の申請者識別情報と個人情報と顔画像情報とを、当該撮影装置を識別する撮影装置識別情報とともに前記ＩＤカード発行装置に送信する第１の送信手段と、
前記ＩＤカード発行装置からの要求に基づいて、要求された申請者識別情報に対応する個人情報と顔画像情報とを、前記個人情報記憶手段及び前記顔画像情報記憶手段から抽出して前記ＩＤカード発行装置に送信する第２の送信手段と、を備え、
前記ＩＤカード発行装置は、
前記第１の送信手段により送信された申請者識別情報と撮影装置識別情報とを対応付けて記憶する撮影装置識別情報記憶手段と、
前記ＩＤカードの再発行を申請した申請者の申請者識別情報を入力する入力手段と、
前記撮影装置識別情報記憶手段を検索して、前記入力手段により入力された申請者識別情報に対応付けられた撮影装置識別情報を抽出する抽出手段と、
前記抽出手段により抽出された撮影装置識別情報によって識別された撮影装置に、前記入力手段により入力された申請者識別情報に対応付けられた個人情報及び顔画像情報の送信を要求する要求手段と、
前記第２の送信手段により送信された個人情報及び顔画像情報に基づく画像を、前記ＩＤカードにプリントするプリント手段と、
を備えることを特徴とするＩＤカード再発行システム。
【請求項２】
ＩＤカードの発行を申請した申請者の顔画像情報を取得する複数の撮影装置と、申請者の個人情報を記憶する記憶装置と、当該複数の撮影装置及び当該記憶装置とネットワークを介して接続されたＩＤカード発行装置と、を備えるＩＤカード再発行システムにおいて、
前記撮影装置は、
前記記憶装置に対して申請者の個人情報の送信を要求する個人情報要求手段と、
前記記憶装置から申請者の個人情報を取得する個人情報取得手段と、
前記申請者を識別する申請者識別情報と、当該撮影装置により取得された当該申請者の顔画像情報とを対応付けて記憶する顔画像情報記憶手段と、
前記申請者の申請者識別情報と前記記憶装置から取得した個人情報と顔画像情報とを、当該撮影装置を識別する撮影装置識別情報とともに前記ＩＤカード発行装置に送信する第１の送信手段と、
前記ＩＤカード発行装置からの要求に基づいて、要求された申請者識別情報に対応する顔画像情報を、前記顔画像情報記憶手段から抽出して前記ＩＤカード発行装置に送信する第２の送信手段と、を備え、
前記記憶装置は、
前記撮影装置及び前記ＩＤカード発行装置からの要求に基づいて、要求された個人情報を、前記撮影装置及び前記ＩＤカード発行装置に送信する個人情報送信手段を備え、
前記ＩＤカード発行装置は、
前記第１の送信手段により送信された申請者識別情報と撮影装置識別情報とを対応付けて記憶する撮影装置識別情報記憶手段と、
前記ＩＤカードの再発行を申請した申請者の申請者識別情報を入力する入力手段と、
前記撮影装置識別情報記憶手段を検索して、前記入力手段により入力された申請者識別情報に対応付けられた撮影装置識別情報を抽出する抽出手段と、
前記抽出手段により抽出された撮影装置識別情報によって識別された撮影装置に、前記入力手段により入力された申請者識別情報に対応付けられた顔画像情報の送信を要求する第１の要求手段と、
前記記憶装置に、前記入力手段により入力された申請者識別情報に対応付けられた個人情報の送信を要求する第２の要求手段と、
前記第２の送信手段により送信された顔画像情報と、前記個人情報送信手段により送信された個人情報とに基づく画像を、前記ＩＤカードにプリントするプリント手段と、
を備えることを特徴とするＩＤカード再発行システム。
【請求項３】
ネットワークを介して接続された撮影装置から送信された、ＩＤカードの発行を申請した申請者の個人情報及び当該申請者の顔画像情報に基づく画像をプリントしたＩＤカードを発行するＩＤカード発行装置において、
前記ＩＤカードの発行時に前記撮影装置から送信された、申請者を識別する申請者識別情報と、前記個人情報と、前記顔画像情報とを対応付けて記憶する申請者情報記憶手段と、
前記ＩＤカードの再発行を申請した申請者の申請者識別情報を入力する入力手段と、
前記申請者情報記憶手段を検索して、前記入力手段により入力された申請者識別情報に対応付けられた個人情報及び顔画像情報を取得する取得手段と、
前記取得手段により取得された個人情報及び顔画像情報に基づく画像を、前記ＩＤカードにプリントするプリント手段と、
を備えることを特徴とするＩＤカード発行装置。
【請求項４】
ネットワークを介して接続された撮影装置から送信されたＩＤカードの発行を申請した申請者の顔画像情報と、ネットワークを介して接続された申請者の個人情報を記憶する記憶装置から送信されたＩＤカードの発行を申請した申請者の個人情報とに基づく画像をプリントしたＩＤカードを発行するＩＤカード発行装置において、
前記ＩＤカードの発行時に前記撮影装置から送信された、申請者識別情報と顔画像情報とを対応付けて記憶する顔画像情報記憶手段と、
前記ＩＤカードの再発行を申請した申請者の申請者識別情報を入力する入力手段と、
前記顔画像情報記憶手段を検索して、前記入力手段により入力された申請者識別情報に対応付けられた顔画像情報を取得する第１の取得手段と、
前記記憶装置に、前記入力手段により入力された申請者識別情報に対応付けられた個人情報の送信を要求する要求手段と、
前記記憶装置から前記入力手段により入力された申請者識別情報に対応付けられた個人情報を取得する第２の取得手段と、
前記第１の取得手段により取得された顔画像情報と、前記第２の取得手段により取得された個人情報とに基づく画像を、前記ＩＤカードにプリントするプリント手段と、
を備えることを特徴とするＩＤカード発行装置。
【請求項５】
請求項１に記載のＩＤカード再発行システムによるＩＤカード再発行方法において、
前記入力手段が、前記ＩＤカードの再発行を申請した申請者の申請者識別情報を入力する入力ステップと、
前記抽出手段が、前記撮影装置識別情報記憶手段を検索して、前記入力ステップで入力された申請者識別情報に対応付けられた撮影装置識別情報を抽出する抽出ステップと、
前記要求手段が、前記抽出ステップで抽出された撮影装置識別情報によって識別された撮影装置に、前記入力ステップで入力された申請者識別情報に対応付けられた個人情報及び顔画像情報の送信を要求する要求ステップと、
前記第２の送信手段が、前記要求ステップでの要求に基づいて、要求された申請者識別
情報に対応する個人情報と顔画像情報とを、前記個人情報記憶手段及び前記顔画像情報記憶手段から抽出して前記ＩＤカード発行装置に送信する送信ステップと、
前記プリント手段が、前記送信ステップで送信された個人情報及び顔画像情報に基づく画像を、前記ＩＤカードにプリントするプリントステップと、
を備えることを特徴とするＩＤカード再発行方法。
【請求項６】
請求項２に記載のＩＤカード再発行システムによるＩＤカード再発行方法において、
前記入力手段が、前記ＩＤカードの再発行を申請した申請者の申請者識別情報を入力する入力ステップと、
前記抽出手段が、前記撮影装置識別情報記憶手段を検索して、前記入力ステップで入力された申請者識別情報に対応付けられた撮影装置識別情報を抽出する抽出ステップと、
前記第１の要求手段が、前記抽出ステップで抽出された撮影装置識別情報によって識別された撮影装置に、前記入力ステップで入力された申請者識別情報に対応付けられた顔画像情報の送信を要求する第１の要求ステップと、
前記第２の送信手段が、前記第１の要求ステップでの要求に基づいて、要求された個人情報を、前記顔画像情報記憶手段から抽出して前記ＩＤカード発行装置に送信する送信ステップと、
前記第２の要求手段が、前記記憶装置に、前記入力ステップで入力された申請者識別情報に対応付けられた個人情報の送信を要求する第２の要求ステップと、
前記個人情報送信手段が、第２の要求ステップでの要求に基づいて、前記申請者を識別する申請者識別情報と、当該申請者の個人情報とを、前記ＩＤカード発行装置に送信する個人情報送信ステップと、
前記プリント手段が、前記送信ステップで送信された顔画像情報と、前記個人情報送信ステップで送信された個人情報とに基づく画像を、前記ＩＤカードにプリントするプリントステップと、
を備えることを特徴とするＩＤカード再発行方法。
【請求項７】
請求項３に記載のＩＤカード発行装置によるＩＤカード再発行方法において、
前記入力手段が、前記ＩＤカードの再発行を申請した申請者の申請者識別情報を入力する入力ステップと、
前記取得手段が、前記申請者情報記憶手段を検索して、前記入力ステップで入力された申請者識別情報に対応付けられた個人情報及び顔画像情報を取得する取得ステップと、
前記プリント手段が、前記取得ステップで取得された個人情報及び顔画像情報に基づく画像を、前記ＩＤカードにプリントするプリントステップと、
を備えることを特徴とするＩＤカード再発行方法。
【請求項８】
請求項４に記載のＩＤカード発行装置によるＩＤカード再発行方法において、
前記入力手段が、前記ＩＤカードの再発行を申請した申請者の申請者識別情報を入力する入力ステップと、
前記第１の取得手段が、前記顔画像情報記憶手段を検索して、前記入力ステップで入力された申請者識別情報に対応付けられた顔画像情報を取得する第１の取得ステップと、
前記要求手段が、前記記憶装置に、前記入力ステップで入力された申請者識別情報に対応付けられた個人情報の送信を要求する要求ステップと、
前記第２の取得手段が、前記記憶装置から前記入力ステップで入力された申請者識別情報に対応付けられた個人情報を取得する第２の取得ステップと、
前記プリント手段が、前記第１の取得ステップで取得された顔画像情報と、前記第２の取得ステップで取得された個人情報とに基づく画像を、前記ＩＤカードにプリントするプリントステップと、
を備えることを特徴とするＩＤカード再発行方法。
【発明の詳細な説明】
【技術分野】
【０００１】
本発明は、ＩＤカード再発行システム、ＩＤカード発行装置及びＩＤカード再発行方法に関する。
【背景技術】
【０００２】
運転免許証や社員証などの各種ＩＤカードは、社会生活の上で一般化し、欠くことのできないものとなっている。ＩＤカードを発行するＩＤカード発行システムは、例えば、当該ＩＤカード発行システムを統括的に制御するホストコンピュータ、ＩＤカードの申請者の顔画像情報を取得する撮影装置、当該申請者のＩＤ番号、個人情報、顔画像情報などを記憶する記憶装置、当該申請者の個人情報や顔画像情報などに基づいて、ＩＤカードに文字や顔写真をプリントするＩＤカード発行装置、これらの装置を操作する端末などから構成されている。
【０００３】
このようなＩＤカード発行システムにおいては、例えば、ＩＤカードにゴミが付いていたりプリントされた文字や顔写真が擦れているといったＩＤカードへのプリントに不具合があった場合や、ＩＤカードを紛失した場合には、ＩＤカードを再発行する必要がある。ＩＤカードの再発行の際には、例えば、まず、端末から、再発行申請者のＩＤ番号が入力される。すると、例えば、当該入力されたＩＤ番号に対応付けられた個人情報や顔画像情報などが、記憶装置から抽出され、当該抽出された個人情報や顔画像情報などに基づく文字や顔写真が、ＩＤカード発行装置によってＩＤカードにプリントされるようになっている（例えば、特許文献１，２参照）。
【特許文献１】特開２０００−１１３２８８号公報
【特許文献２】特開２００３−１９８１号公報
【発明の開示】
【発明が解決しようとする課題】
【０００４】
特許文献１，２においては、オペレータは、端末を使用して、再発行申請者のＩＤ番号を入力するため、端末とＩＤカード発行装置とが離れた場所に設置されている場合などには、端末が設置された場所とＩＤカード発行装置が設置された場所とを往復しなければならなくなって、再発行に手間と時間がかかるという問題がある。具体的には、例えば、ＩＤカード発行装置から発行されたＩＤカードを見て、不具合を発見した場合には、オペレータは、ＩＤカード発行装置が設置された場所から端末が設置された場所まで移動して、端末を使用してＩＤ番号を入力し、その後、ＩＤカード発行装置が設置された場所まで戻って、再発行されたＩＤカードを入手する必要がある。
【０００５】
また、ＩＤカード発行システムによっては、撮影装置を使用してＩＤ番号を入力するものもあり、撮影装置とＩＤカード発行装置とが離れた場所に設置されている場合などには、端末とＩＤカード発行装置とが離れた場所に設置されている場合と同様の問題が生じる。さらに、ＩＤカード発行システムによっては、顔画像情報が撮影装置に記憶されているものもあり、撮影装置が複数ある場合には、各撮影装置が設置された場所まで移動して、撮影装置に記憶された顔画像情報に基づく顔画像と、再発行申請者の顔画像とを照合する必要があるため、より一層、再発行に手間と時間がかかる。
【０００６】
本発明の課題は、手間と時間をかけることなくＩＤカードを再発行することができるＩＤカード再発行システム、ＩＤカード発行装置及びＩＤカード再発行方法を提供することにある。
【課題を解決するための手段】
【０００７】
上記課題を解決するために、請求項１に記載の発明は、ＩＤカードの発行を申請した申請者の顔画像情報を取得する複数の撮影装置と、当該複数の撮影装置とネットワークを介して接続されたＩＤカード発行装置と、を備えるＩＤカード再発行システムにおいて、前記撮影装置は、前記申請者を識別する申請者識別情報と、当該申請者の個人情報とを対応付けて記憶する個人情報記憶手段と、前記申請者を識別する申請者識別情報と、当該撮影装置により取得された当該申請者の顔画像情報とを対応付けて記憶する顔画像情報記憶手段と、前記申請者の申請者識別情報と個人情報と顔画像情報とを、当該撮影装置を識別する撮影装置識別情報とともに前記ＩＤカード発行装置に送信する第１の送信手段と、前記ＩＤカード発行装置からの要求に基づいて、要求された申請者識別情報に対応する個人情報と顔画像情報とを、前記個人情報記憶手段及び前記顔画像情報記憶手段から抽出して前記ＩＤカード発行装置に送信する第２の送信手段と、を備え、前記ＩＤカード発行装置は、前記第１の送信手段により送信された申請者識別情報と撮影装置識別情報とを対応付けて記憶する撮影装置識別情報記憶手段と、前記ＩＤカードの再発行を申請した申請者の申請者識別情報を入力する入力手段と、前記撮影装置識別情報記憶手段を検索して、前記入力手段により入力された申請者識別情報に対応付けられた撮影装置識別情報を抽出する抽出手段と、前記抽出手段により抽出された撮影装置識別情報によって識別された撮影装置に、前記入力手段により入力された申請者識別情報に対応付けられた個人情報及び顔画像情報の送信を要求する要求手段と、前記第２の送信手段により送信された個人情報及び顔画像情報に基づく画像を、前記ＩＤカードにプリントするプリント手段と、を備えることを特徴とする。
【０００８】
請求項２に記載の発明は、ＩＤカードの発行を申請した申請者の顔画像情報を取得する複数の撮影装置と、申請者の個人情報を記憶する記憶装置と、当該複数の撮影装置及び当該記憶装置とネットワークを介して接続されたＩＤカード発行装置と、を備えるＩＤカード再発行システムにおいて、前記撮影装置は、前記記憶装置に対して申請者の個人情報の送信を要求する個人情報要求手段と、前記記憶装置から申請者の個人情報を取得する個人情報取得手段と、前記申請者を識別する申請者識別情報と、当該撮影装置により取得された当該申請者の顔画像情報とを対応付けて記憶する顔画像情報記憶手段と、前記申請者の申請者識別情報と前記記憶装置から取得した個人情報と顔画像情報とを、当該撮影装置を識別する撮影装置識別情報とともに前記ＩＤカード発行装置に送信する第１の送信手段と、前記ＩＤカード発行装置からの要求に基づいて、要求された申請者識別情報に対応する顔画像情報を、前記顔画像情報記憶手段から抽出して前記ＩＤカード発行装置に送信する第２の送信手段と、を備え、前記記憶装置は、前記撮影装置及び前記ＩＤカード発行装置からの要求に基づいて、要求された個人情報を、前記撮影装置及び前記ＩＤカード発行装置に送信する個人情報送信手段を備え、前記ＩＤカード発行装置は、前記第１の送信手段により送信された申請者識別情報と撮影装置識別情報とを対応付けて記憶する撮影装置識別情報記憶手段と、前記ＩＤカードの再発行を申請した申請者の申請者識別情報を入力する入力手段と、前記撮影装置識別情報記憶手段を検索して、前記入力手段により入力された申請者識別情報に対応付けられた撮影装置識別情報を抽出する抽出手段と、前記抽出手段により抽出された撮影装置識別情報によって識別された撮影装置に、前記入力手段により入力された申請者識別情報に対応付けられた顔画像情報の送信を要求する第１の要求手段と、前記記憶装置に、前記入力手段により入力された申請者識別情報に対応付けられた個人情報の送信を要求する第２の要求手段と、前記第２の送信手段により送信された顔画像情報と、前記個人情報送信手段により送信された個人情報とに基づく画像を、前記ＩＤカードにプリントするプリント手段と、を備えることを特徴とする。
【０００９】
請求項３に記載の発明は、ネットワークを介して接続された撮影装置から送信された、ＩＤカードの発行を申請した申請者の個人情報及び当該申請者の顔画像情報に基づく画像
をプリントしたＩＤカードを発行するＩＤカード発行装置において、前記ＩＤカードの発行時に前記撮影装置から送信された、申請者を識別する申請者識別情報と、前記個人情報と、前記顔画像情報とを対応付けて記憶する申請者情報記憶手段と、前記ＩＤカードの再発行を申請した申請者の申請者識別情報を入力する入力手段と、前記申請者情報記憶手段を検索して、前記入力手段により入力された申請者識別情報に対応付けられた個人情報及び顔画像情報を取得する取得手段と、前記取得手段により取得された個人情報及び顔画像情報に基づく画像を、前記ＩＤカードにプリントするプリント手段と、を備えることを特徴とする。
【００１０】
請求項４に記載の発明は、ネットワークを介して接続された撮影装置から送信されたＩＤカードの発行を申請した申請者の顔画像情報と、ネットワークを介して接続された申請者の個人情報を記憶する記憶装置から送信されたＩＤカードの発行を申請した申請者の個人情報とに基づく画像をプリントしたＩＤカードを発行するＩＤカード発行装置において、前記ＩＤカードの発行時に前記撮影装置から送信された、申請者識別情報と顔画像情報とを対応付けて記憶する顔画像情報記憶手段と、前記ＩＤカードの再発行を申請した申請者の申請者識別情報を入力する入力手段と、前記顔画像情報記憶手段を検索して、前記入力手段により入力された申請者識別情報に対応付けられた顔画像情報を取得する第１の取得手段と、前記記憶装置に、前記入力手段により入力された申請者識別情報に対応付けられた個人情報の送信を要求する要求手段と、前記記憶装置から前記入力手段により入力された申請者識別情報に対応付けられた個人情報を取得する第２の取得手段と、前記第１の取得手段により取得された顔画像情報と、前記第２の取得手段により取得された個人情報とに基づく画像を、前記ＩＤカードにプリントするプリント手段と、を備えることを特徴とする。
【００１１】
請求項５に記載の発明は、請求項１に記載のＩＤカード再発行システムによるＩＤカード再発行方法において、前記入力手段が、前記ＩＤカードの再発行を申請した申請者の申請者識別情報を入力する入力ステップと、前記抽出手段が、前記撮影装置識別情報記憶手段を検索して、前記入力ステップで入力された申請者識別情報に対応付けられた撮影装置識別情報を抽出する抽出ステップと、前記要求手段が、前記抽出ステップで抽出された撮影装置識別情報によって識別された撮影装置に、前記入力ステップで入力された申請者識別情報に対応付けられた個人情報及び顔画像情報の送信を要求する要求ステップと、前記第２の送信手段が、前記要求ステップでの要求に基づいて、要求された申請者識別情報に対応する個人情報と顔画像情報とを、前記個人情報記憶手段及び前記顔画像情報記憶手段から抽出して前記ＩＤカード発行装置に送信する送信ステップと、前記プリント手段が、前記送信ステップで送信された個人情報及び顔画像情報に基づく画像を、前記ＩＤカードにプリントするプリントステップと、を備えることを特徴とする。
【００１２】
請求項６に記載の発明は、請求項２に記載のＩＤカード再発行システムによるＩＤカード再発行方法において、前記入力手段が、前記ＩＤカードの再発行を申請した申請者の申請者識別情報を入力する入力ステップと、前記抽出手段が、前記撮影装置識別情報記憶手段を検索して、前記入力ステップで入力された申請者識別情報に対応付けられた撮影装置識別情報を抽出する抽出ステップと、前記第１の要求手段が、前記抽出ステップで抽出された撮影装置識別情報によって識別された撮影装置に、前記入力ステップで入力された申請者識別情報に対応付けられた顔画像情報の送信を要求する第１の要求ステップと、前記第２の送信手段が、前記第１の要求ステップでの要求に基づいて、要求された申請者識別情報に対応する顔画像情報を、前記顔画像情報記憶手段から抽出して前記ＩＤカード発行装置に送信する送信ステップと、前記第２の要求手段が、前記記憶装置に、前記入力ステップで入力された申請者識別情報に対応付けられた個人情報の送信を要求する第２の要求ステップと、前記個人情報送信手段が、第２の要求ステップでの要求に基づいて、要求された個人情報を、前記ＩＤカード発行装置に送信する個人情報送信ステップと、前記プリ
ント手段が、前記送信ステップで送信された顔画像情報と、前記個人情報送信ステップで送信された個人情報とに基づく画像を、前記ＩＤカードにプリントするプリントステップと、を備えることを特徴とする。
【００１３】
請求項７に記載の発明は、請求項３に記載のＩＤカード発行装置によるＩＤカード再発行方法において、前記入力手段が、前記ＩＤカードの再発行を申請した申請者の申請者識別情報を入力する入力ステップと、前記取得手段が、前記申請者情報記憶手段を検索して、前記入力ステップで入力された申請者識別情報に対応付けられた個人情報及び顔画像情報を取得する取得ステップと、前記プリント手段が、前記取得ステップで取得された個人情報及び顔画像情報に基づく画像を、前記ＩＤカードにプリントするプリントステップと、を備えることを特徴とする。
【００１４】
請求項８に記載の発明は、請求項４に記載のＩＤカード発行装置によるＩＤカード再発行方法において、前記入力手段が、前記ＩＤカードの再発行を申請した申請者の申請者識別情報を入力する入力ステップと、前記第１の取得手段が、前記顔画像情報記憶手段を検索して、前記入力ステップで入力された申請者識別情報に対応付けられた顔画像情報を取得する第１の取得ステップと、前記要求手段が、前記記憶装置に、前記入力ステップで入力された申請者識別情報に対応付けられた個人情報の送信を要求する要求ステップと、前記第２の取得手段が、前記記憶装置から前記入力ステップで入力された申請者識別情報に対応付けられた個人情報を取得する第２の取得ステップと、前記プリント手段が、前記第１の取得ステップで取得された顔画像情報と、前記第２の取得ステップで取得された個人情報とに基づく画像を、前記ＩＤカードにプリントするプリントステップと、を備えることを特徴とする。
【発明の効果】
【００１５】
請求項１、５に記載の発明によれば、ＩＤカード発行装置が備える入力手段によって、ＩＤカードの再発行を申請した申請者の申請者識別情報を入力することにより、この申請者の個人情報と顔画像情報を送信した撮影装置を特定して、この撮影装置に、当該申請者の個人情報と顔画像情報の再送信を要求することができる。そして、この撮影装置から再度取得した当該申請者の個人情報と顔画像情報に基づく画像を、ＩＤカードにプリントすることができる。したがって、オペレータは、ＩＤカード発行装置が設置された場所から移動することなく、再発行されたＩＤカードを入手することができることとなって、手間と時間をかけることなくＩＤカードを再発行することができる。
【００１６】
請求項２、６に記載の発明によれば、ＩＤカード発行装置が備える入力手段によって、ＩＤカードの再発行を申請した申請者の申請者識別情報を入力することができる。そして、ＩＤカード発行装置が備えるプリント手段によって、ＩＤカードの発行（１回目の発行）の際に使用した顔画像情報と、記憶装置から取得した個人情報とに基づく画像を、ＩＤカードにプリントすることができる。したがって、オペレータは、ＩＤカード発行装置が設置された場所から移動することなく、再発行されたＩＤカードを入手することができる。すなわち、手間と時間をかけることなくＩＤカードを再発行することができる。
さらに、ＩＤカードの再発行（２回目以降の発行）の際に使用する個人情報は、記憶装置から取得したものである。したがって、例えば、発行から再発行までの間に個人情報が更新されても、当該更新された新しい個人情報を、再発行するＩＤカードに、自動的に反映することができることとなる。すなわち、より一層、手間と時間をかけることなくＩＤカードを再発行することができる。
【００１７】
請求項３、７に記載の発明によれば、ＩＤカード発行装置が備える入力手段によって、ＩＤカードの再発行を申請した申請者の申請者識別情報を入力することにより、この申請者の個人情報と顔画像情報を申請者情報記憶手段から取得することができ、当該取得され
た申請者の個人情報と顔画像情報に基づく画像を、ＩＤカードにプリントすることができる。したがって、オペレータは、ＩＤカード発行装置が設置された場所から移動することなく、再発行されたＩＤカードを入手することができることとなって、手間と時間をかけることなくＩＤカードを再発行することができる。
【００１８】
請求項４、８に記載の発明によれば、ＩＤカード発行装置が備える入力手段によって、ＩＤカードの再発行を申請した申請者の申請者識別情報を入力することができる。そして、ＩＤカード発行装置が備えるプリント手段によって、ＩＤカードの発行（１回目の発行）の際に使用した顔画像情報と、記憶装置から取得した個人情報とに基づく画像を、ＩＤカードにプリントすることができる。したがって、オペレータは、ＩＤカード発行装置が設置された場所から移動することなく、再発行されたＩＤカードを入手することができる。すなわち、手間と時間をかけることなくＩＤカードを再発行することができる。
さらに、ＩＤカードの再発行（２回目以降の発行）の際に使用する個人情報は、記憶装置から取得したものである。したがって、例えば、発行から再発行までの間に個人情報が更新されても、当該更新された新しい個人情報を、再発行するＩＤカードに、自動的に反映することができることとなる。すなわち、より一層、手間と時間をかけることなくＩＤカードを再発行することができる。
【発明を実施するための最良の形態】
【００１９】
以下、図を参照して、本発明を実施するための最良の形態を詳細に説明する。なお、発明の範囲は、図示例に限定されない。
【００２０】
[第１の実施の形態]
まず、第１の実施の形態について説明する。
【００２１】
＜ＩＤカード再発行システムの構成＞
まず、ＩＤカード再発行システム１０００の構成を、図１を参照して説明する。
【００２２】
ＩＤカード再発行システム１０００は、例えば、図１に示すように、ホストコンピュータ１、撮影装置２、ＩＤカード発行装置３などを備えて構成される。ホストコンピュータ１と、撮影装置２と、ＩＤカード発行装置３とは、ネットワークを介して接続されており、互いに通信可能となっている。
【００２３】
なお、ネットワークは、専用線により構築された通信ネットワークであり、ＬＡＮ（Local Area Network）やＷＡＮ（Wide Area Network）などの回線形態を適用することが可能である。
また、一つのホストコンピュータ１に接続される、撮影装置２、ＩＤカード発行装置３の個数は、図１の限りではなく、任意である。
【００２４】
ここで、本発明におけるＩＤカード再発行システム１０００は、ＩＤカードの再発行（２回目以降の発行）を申請した申請者のＩＤカードを再発行する。
【００２５】
ホストコンピュータ１は、予め記憶されたプログラムに従い、ＩＤカード再発行システム１０００を統括的に制御するコンピュータである。ホストコンピュータ１は、例えば、図１に示すように、記憶装置１１（例えば、磁気テープ装置や磁気ディスク装置などの磁気記憶装置など）を接続している。
【００２６】
記憶装置１１には、例えば、図１に示すように、個人情報データベース１１１などが格納されている。
【００２７】
個人情報データベース１１１は、申請者を識別する申請者識別情報としてのＩＤ番号と、当該申請者の個人情報とを対応付けて記憶する。
個人情報データベース１１１は、具体的には、例えば、「ＩＤ番号」記憶領域、「個人情報」記憶領域などを有する。
「ＩＤ番号」記憶領域は、申請者を識別するＩＤ番号を記憶する。
「個人情報」記憶領域は、「ＩＤ番号」記憶領域に記憶されたＩＤ番号によって識別される申請者の個人情報（住所、氏名、国籍・本籍、生年月日など）を記憶する。
【００２８】
なお、個人情報データベース１１１は、ホストコンピュータ１に格納してもよいし、或いは、ネットワークを介して接続される外部装置内に格納してもよい。
また、個人情報データベース１１１の「個人情報」記憶領域には、個人情報を表すものとして、予め登録されている文字データの他に、新たに作成した欠字や外字などを表すデータを記憶するようにしてもよい。
【００２９】
撮影装置２は、ＩＤカードの発行を申請した申請者の顔画像情報を取得する。
撮影装置２は、例えば、図１に示すように、エンジニアリング・ワーク・ステーション（以下、ＥＷＳ）２１、画像処理装置２２、ＩＤ番号入力装置２３などを備えている。そして、撮影装置２は、ＥＷＳ２１によってネットワークに接続されている。
【００３０】
ＥＷＳ２１は、例えば、図１に示すように、ＣＰＵ（Central Processing Unit）２１１、ＲＡＭ（Random Access Memory）２１２、記憶部２１３などを備えている。
【００３１】
ＣＰＵ２１１は、記憶部２１３に記憶されたＥＷＳ２１用の各種処理プログラムに従って各種の制御動作を行う。
【００３２】
ＲＡＭ２１２は、ＣＰＵ２１１によって実行される処理プログラムなどを展開するためのプログラム格納領域や、入力データや上記処理プログラムが実行される際に生じる処理結果などを格納するデータ格納領域などを備える。
【００３３】
記憶部２１３は、ＥＷＳ２１で実行可能なシステムプログラム、当該システムプログラムで実行可能な各種処理プログラム、これら各種処理プログラムを実行する際に使用されるデータ、ＣＰＵ２１１によって演算処理された処理結果のデータなどを記憶する。なお、プログラムは、コンピュータが読み取り可能なプログラムコードの形で記憶部２１３に記憶されている。
具体的には、記憶部２１３には、例えば、図１に示すように、申請者情報データベース２１３１、送信プログラム２１３６などが格納されている。
【００３４】
申請者情報データベース２１３１は、ＩＤカードの発行（１回目の発行）を申請した申請者に関する申請者情報を記憶する。
具体的には、申請者情報データベース２１３１は、個人情報記憶手段として、申請者を識別するＩＤ番号と、当該申請者の個人情報とを対応付けて記憶する。
また、申請者情報データベース２１３１は、顔画像情報記憶手段として、申請者を識別するＩＤ番号と、撮影装置２により取得された当該申請者の顔画像情報とを対応付けて記憶する。
【００３５】
より具体的には、申請者情報データベース２１３１は、「ＩＤ番号」記憶領域、「個人情報」記憶領域、「顔画像情報」記憶領域などを有する。
「ＩＤ番号」記憶領域は、申請者を識別するＩＤ番号を記憶する。
「個人情報」記憶領域は、「ＩＤ番号」記憶領域に記憶されたＩＤ番号によって識別される申請者の個人情報（住所、氏名、国籍・本籍、生年月日など）を記憶する。
「顔画像情報」記憶領域は、「ＩＤ番号」記憶領域に記憶されたＩＤ番号によって識別される申請者の顔画像情報を記憶する。
【００３６】
ＩＤ番号、個人情報、顔画像情報は、ＩＤカードの発行（１回目の発行）の前に、申請者情報データベース２１３１に記憶される。
具体的には、「ＩＤ番号」記憶領域には、例えば、ＩＤカードの発行の前にＩＤ番号入力装置２３から出力されたＩＤ番号が記憶されている。
また、「個人情報」記憶領域には、例えば、ＩＤカードの発行の前に記憶装置１１が格納する個人情報データベース１１１から取得された個人情報が記憶されている。
また、「顔画像情報」記憶領域には、例えば、ＩＤカードの発行の前にビデオカメラ２２１（後述）により取得されて画像処理装置２２から出力された顔画像情報が記憶されている。
【００３７】
送信プログラム２１３６は、ＩＤカードの発行（１回目の発行）時に、ＣＰＵ２１１に、申請者のＩＤ番号と個人情報と顔画像情報とを、撮影装置２を識別する撮影装置識別情報としての撮影装置識別番号とともにＩＤカード発行装置３に送信する機能を実現させる。
また、ＩＤカードの再発行（２回目以降の発行）時に、ＣＰＵ２１１に、ＩＤカード発行装置３からの要求（具体的には、要求プログラム３１３７を実行したＣＰＵ３１１（後述）からの要求）に基づいて、要求されたＩＤ番号に対応する個人情報と顔画像情報とを、申請者情報データベース２１３１から抽出してＩＤカード発行装置３に送信する機能を実現させる。
ＣＰＵ２１１は、かかる送信プログラム２１３６を実行することによって、第１の送信手段及び第２の送信手段として機能する。
【００３８】
画像処理装置２２は、例えば、図１に示すように、ビデオカメラ２２１、ＴＶモニタ２２２などを接続している。画像処理装置２２は、ビデオカメラ２２１により取得された顔画像情報（アナログビデオ信号）を、デジタル化して、ＥＷＳ２１に出力する。
【００３９】
ビデオカメラ２２１は、例えば、オペレータによってビデオカメラ２２１に設けられた撮影開始ボタン（図示省略）が押下されると、申請者の顔を中心とした胸像を撮影して、申請者の顔画像情報を取得する。
【００４０】
ＴＶモニタ２２２は、ビデオカメラ２２１により取得した顔画像情報に基づく顔画像を表示する。オペレータは、ＴＶモニタ２２２に表示された顔画像を見て、当該顔画像の顔画像情報を、ＩＤカードにプリントする顔画像の顔画像情報として確定するか否かを判断することができる。
【００４１】
ＩＤ番号入力装置２３は、例えば、カーソルキー、文字／数字キー、各種機能キーなどから構成され、オペレータのキー操作に伴う押下信号をＥＷＳ２１に出力する。また、ＩＤ番号入力装置２３は、必要に応じてマウスやタッチパネルなどのポインティングデバイスや、バーコードリーダ、スキャナ、ＯＣＲ装置、磁気読取装置など、その他の入力装置を備えるものとしてもよい。
具体的には、ＩＤ番号入力装置２３は、例えば、オペレータが、ＩＤカードの発行を申請した申請者のＩＤ番号を入力する際に使用される。
【００４２】
ＩＤカード発行装置３は、例えば、図１に示すように、ＥＷＳ３１、ＩＤ番号入力装置３２、プリント装置３３などを備えている。そして、ＩＤカード発行装置３は、ＥＷＳ３１によってネットワークに接続されている。
【００４３】
ＥＷＳ３１は、例えば、図１に示すように、ＣＰＵ３１１、ＲＡＭ３１２、記憶部３１３などを備えている。
【００４４】
ＣＰＵ３１１は、記憶部３１３に記憶されたＥＷＳ３１用の各種処理プログラムに従って各種の制御動作を行う。
【００４５】
ＲＡＭ３１２は、ＣＰＵ３１１によって実行される処理プログラムなどを展開するためのプログラム格納領域や、入力データや上記処理プログラムが実行される際に生じる処理結果などを格納するデータ格納領域などを備える。
【００４６】
記憶部３１３は、ＥＷＳ３１で実行可能なシステムプログラム、当該システムプログラムで実行可能な各種処理プログラム、これら各種処理プログラムを実行する際に使用されるデータ、ＣＰＵ３１１によって演算処理された処理結果のデータなどを記憶する。なお、プログラムは、コンピュータが読み取り可能なプログラムコードの形で記憶部３１３に記憶されている。
具体的には、記憶部３１３には、例えば、図１に示すように、撮影装置識別情報データベース３１３１、抽出プログラム３１３６、要求プログラム３１３７などが格納されている。
【００４７】
撮影装置識別情報データベース３１３１は、撮影装置識別情報記憶手段として、ＩＤカードの発行（１回目の発行）時に、撮影装置２のＣＰＵ２１１の送信プログラム２１３６の実行により送信されたＩＤ番号と撮影装置識別番号とを対応付けて記憶する。
【００４８】
具体的には、撮影装置識別情報データベース３１３１は、「ＩＤ番号」記憶領域、「撮影装置識別番号」記憶領域などを有する。
「ＩＤ番号」記憶領域は、申請者を識別するＩＤ番号を記憶する。
「撮影装置識別番号」記憶領域は、「ＩＤ番号」記憶領域に記憶されたＩＤ番号を記憶する申請者情報データベース２１３１を格納した、撮影装置２を識別する撮影装置識別番号を記憶する。
【００４９】
抽出プログラム３１３６は、ＣＰＵ３１１に、撮影装置識別情報データベース３１３１を検索して、入力手段としてのＩＤ番号入力装置３２により入力されたＩＤ番号に対応付けられた撮影装置識別番号を抽出する機能を実現させる。
ＣＰＵ３１１は、かかる抽出プログラム３１３６を実行することによって、抽出手段として機能する。
【００５０】
要求プログラム３１３７は、ＣＰＵ３１１に、ＣＰＵ３１１の抽出プログラム３１３６の実行により抽出された撮影装置識別番号によって識別された撮影装置２に、入力手段としてのＩＤ番号入力装置３２により入力されたＩＤ番号に対応付けられた個人情報及び顔画像情報の送信を要求する機能を実現させる。
ＣＰＵ３１１は、かかる要求プログラム３１３７を実行することによって、要求手段として機能する。
【００５１】
ＩＤ番号入力装置３２は、例えば、カーソルキー、文字／数字キー、各種機能キーなどから構成され、オペレータのキー操作に伴う押下信号をＥＷＳ３１に出力する。また、ＩＤ番号入力装置３２は、必要に応じてマウスやタッチパネルなどのポインティングデバイスや、バーコードリーダ、スキャナ、ＯＣＲ装置、磁気読取装置など、その他の入力装置を備えるものとしてもよい。
具体的には、ＩＤ番号入力装置３２は、例えば、入力手段として、オペレータが、ＩＤカードの再発行を申請した申請者のＩＤ番号を入力する際に使用される。
【００５２】
プリント装置３３は、プリント手段として、要求プログラム３１３７を実行したＣＰＵ３１１からの要求に基づいて撮影装置２のＣＰＵ２１１の送信プログラム２１３６の実行により送信された、個人情報及び顔画像情報に基づく画像を、ＩＤカードにプリントする。
【００５３】
＜処理＞
次に、ＩＤカード再発行システム１０００における処理（ＩＤカード発行処理、ＩＤカード再発行処理）について説明する。
ここで、ＩＤカード再発行システム１０００には、例えば、図１に示すように、一つのホストコンピュータ１と、二つの撮影装置２Ａ，２Ｂと、一つのＩＤカード発行装置３とが備えられているとする。そして、例えば、撮影装置２Ａの撮影装置識別番号は「０１」、撮影装置２Ｂの撮影装置識別番号は「０２」であるとする。
【００５４】
＜ＩＤカード発行処理＞
まず、ＩＤカード再発行システム１０００における、ＩＤカードの発行に関する処理について、図２のフローチャートを参照して説明する。
【００５５】
まず、ＩＤ番号が入力されて、当該ＩＤ番号によって識別された申請者のＩＤカードを発行するよう指示されると（ステップＳ１１）、撮影装置２（例えば、撮影装置２Ａ）のＣＰＵ２１１は、申請者情報データベース２１３１から、当該入力されたＩＤ番号に対応付けられた個人情報及び顔画像情報を取得する（ステップＳ１２）。
【００５６】
次いで、ＣＰＵ２１１は、送信プログラム２１３６を実行して、ステップＳ１１で入力されたＩＤ番号と、ステップＳ１２で取得した個人情報及び顔画像情報と、撮影装置２Ａを識別する撮影装置識別番号（「０１」）とを、ＩＤカード発行装置３に送信する（ステップＳ１３）。
【００５７】
撮影装置２ＡのＣＰＵ２１１から送信されたＩＤ番号、個人情報、顔画像情報及び撮影装置識別番号を受信すると（ステップＳ１４）、ＩＤカード発行装置３のＣＰＵ３１１は、撮影装置識別情報データベース３１３１に、当該受信したＩＤ番号と撮影装置識別番号とを対応付けて記憶させる（ステップＳ１５）。
【００５８】
次いで、ＣＰＵ３１１は、プリント装置３３に、ステップＳ１４で受信した、ＩＤ番号、個人情報及び顔画像情報に基づく画像を、ＩＤカードにプリントさせて、ＩＤカードを発行し（ステップＳ１６）、本処理を終了する。
【００５９】
＜ＩＤカード再発行処理＞
次に、ＩＤカード再発行システム１０００における、ＩＤカードの再発行に関する処理について、図３のフローチャートを参照して説明する。
【００６０】
まず、ＩＤカード発行装置３のオペレータが、ＩＤ番号入力装置３２を操作して、ＩＤカードの再発行を申請した申請者のＩＤ番号を入力すると（ステップＳ２１）、ＩＤカード発行装置３のＣＰＵ３１１は、抽出プログラム３１３６を実行して、撮影装置識別情報データベース３１３１を検索して、当該入力されたＩＤ番号に対応付けられた撮影装置識別番号を抽出する（ステップＳ２２）。
具体的には、例えば、ステップＳ２２で、撮影装置識別番号「０１」が抽出されたとする。
【００６１】
次いで、ＣＰＵ３１１は、要求プログラム３１３７を実行して、ステップＳ２２で抽出
された撮影装置識別番号（「０１」）によって識別された撮影装置２（撮影装置２Ａ）に、ステップＳ２１で入力されたＩＤ番号を送信して、当該ＩＤ番号に対応付けられた個人情報及び顔画像情報の送信を要求する（ステップＳ２３）。
【００６２】
ＩＤカード発行装置３のＣＰＵ３１１から送信されたＩＤ番号を受信すると（ステップＳ２４）、撮影装置２ＡのＣＰＵ２１１は、送信プログラム２１３６を実行して、申請者情報データベース２１３１を検索して、当該受信したＩＤ番号に対応付けられた個人情報及び顔画像情報を抽出する（ステップＳ２５）。
【００６３】
次いで、ＣＰＵ２１１は、ステップＳ２４で受信したＩＤ番号と、ステップＳ２５で抽出した個人情報及び顔画像情報とを、ＩＤカード発行装置３に送信する（ステップＳ２６）。
【００６４】
撮影装置２ＡのＣＰＵ２１１から送信されたＩＤ番号、個人情報及び顔画像情報を受信すると（ステップＳ２７）、ＩＤカード発行装置３のＣＰＵ３１１は、プリント装置３３に、当該受信したＩＤ番号、個人情報及び顔画像情報に基づく画像を、ＩＤカードにプリントさせて、ＩＤカードを再発行し（ステップＳ２８）、本処理を終了する。
【００６５】
以上説明した第１の実施の形態のＩＤカード再発行システム１０００によれば、ＩＤカード発行装置３が備えるＩＤ番号入力装置３２によって、ＩＤカードの再発行を申請した申請者のＩＤ番号を入力することにより、この申請者の個人情報と顔画像情報を送信した撮影装置２を特定して、この撮影装置２に、当該申請者の個人情報と顔画像情報の再送信を要求することができる。そして、この撮影装置２から再度取得した当該申請者の個人情報と顔画像情報に基づく画像を、ＩＤカードにプリントすることができる。したがって、オペレータは、ＩＤカード発行装置３が設置された場所から移動することなく、再発行されたＩＤカードを入手することができることとなって、手間と時間をかけることなくＩＤカードを再発行することができる。
【００６６】
[第２の実施の形態]
次に、第２の実施の形態について説明する。
【００６７】
＜ＩＤカード再発行システムの構成＞
まず、ＩＤカード再発行システム１０００ａの構成を、図４を参照して説明する。
なお、第２の実施の形態のＩＤカード再発行システム１０００ａの特徴は、第１の実施の形態のＩＤカード再発行システム１０００（図１）における、ホストコンピュータ１に接続された記憶装置１１が異なる点、撮影装置２のＥＷＳ２１の記憶部２１３が異なる点、ＩＤカード発行装置３のＥＷＳ３１の記憶部３１３が異なる点、ＩＤカード発行装置３のプリント装置３３が異なる点である。したがって、異なる箇所のみについて説明し、その他の共通する部分は同一符号を付して説明する。
【００６８】
ＩＤカード再発行システム１０００ａは、例えば、図４に示すように、記憶装置１１ａを接続したホストコンピュータ１、撮影装置２ａ、ＩＤカード発行装置３ａなどを備えて構成される。ホストコンピュータ１と、撮影装置２ａと、ＩＤカード発行装置３ａとは、ネットワークを介して接続されており、互いに通信可能となっている。
【００６９】
記憶装置１１ａは、例えば、図４に示すように、記憶装置１１に格納されていた個人情報データベース１１１に加えて、個人情報送信プログラム１１２を格納している。
【００７０】
個人情報送信プログラム１１２は、ホストコンピュータ１に、撮影装置２ａ及びＩＤカード発行装置３ａからの要求に基づいて、要求された個人情報を、撮影装置２ａ及びＩＤ
カード発行装置３ａに送信する機能を実現させる。
ホストコンピュータ１は、かかる個人情報送信プログラム１１２を実行することによって、個人情報送信手段として機能する。
【００７１】
撮影装置２ａのＥＷＳ２１ａの記憶部２１３ａは、図４に示すように、第１の実施の形態の記憶部２１３に格納される申請者情報データベース２１３１の代わりに、顔画像情報データベース２１３２を格納し、送信プログラム２１３６の代わりに、送信プログラム２１３６ａを格納している。また、要求・取得プログラム２１３７も格納している。
【００７２】
顔画像情報データベース２１３２は、顔画像情報記憶手段として、ＩＤカードの発行（１回目の発行）を申請した申請者を識別するＩＤ番号と、撮影装置２ａにより取得された当該申請者の顔画像情報とを対応付けて記憶する。
【００７３】
具体的には、顔画像情報データベース２１３２は、「ＩＤ番号」記憶領域、「顔画像情報」記憶領域などを有する。
「ＩＤ番号」記憶領域は、申請者を識別するＩＤ番号を記憶する。
「顔画像情報」記憶領域は、「ＩＤ番号」記憶領域に記憶されたＩＤ番号によって識別される申請者の顔画像情報を記憶する。
【００７４】
ＩＤ番号、顔画像情報は、ＩＤカードの発行（１回目の発行）の前に、顔画像情報データベース２１３２に記憶される。
具体的には、「ＩＤ番号」記憶領域には、例えば、ＩＤカードの発行の前にＩＤ番号入力装置２３から出力されたＩＤ番号が記憶されている。
また、「顔画像情報」記憶領域には、例えば、ＩＤカードの発行の前にビデオカメラ２２１により取得されて画像処理装置２２から出力された顔画像情報が記憶されている。
【００７５】
送信プログラム２１３６ａは、ＩＤカードの発行（１回目の発行）時に、ＣＰＵ２１１に、申請者のＩＤ番号と、記憶装置１１ａから取得した個人情報と、撮影装置２ａにより取得された顔画像情報とを、撮影装置２ａを識別する撮影装置識別番号とともにＩＤカード発行装置３ａに送信する機能を実現させる。
また、ＩＤカードの再発行（２回目以降の発行）時に、ＣＰＵ２１１に、ＩＤカード発行装置３ａからの要求に基づいて、要求されたＩＤ番号に対応する顔画像情報を、顔画像情報データベース２１３２から抽出してＩＤカード発行装置３ａに送信する機能を実現させる。
ＣＰＵ２１１は、かかる送信プログラム２１３６ａを実行することによって、第１の送信手段及び第２の送信手段として機能する。
【００７６】
要求・取得プログラム２１３７は、ＣＰＵ２１１に、記憶装置１１ａを接続したホストコンピュータ１に対して申請者の個人情報の送信を要求し、当該要求に基づいて送信された申請者の個人情報を取得する機能を実現させる。
ＣＰＵ２１１は、かかる要求・取得プログラム２１３７を実行することによって、個人情報要求手段及び個人情報取得手段として機能する。
【００７７】
ＩＤカード発行装置３ａのＥＷＳ３１ａの記憶部３１３ａは、図４に示すように、第１の実施の形態の記憶部３１３に格納される要求プログラム３１３７の代わりに、第１の要求プログラム３１３８及び第２の要求プログラム３１３９を格納している。
【００７８】
第１の要求プログラム３１３８は、ＣＰＵ３１１に、ＣＰＵ３１１の抽出プログラム３１３６の実行により抽出された撮影装置識別番号によって識別された撮影装置２ａに、ＩＤ番号入力装置３２により入力されたＩＤ番号に対応付けられた顔画像情報の送信を要求
する機能を実現させる。
ＣＰＵ３１１は、かかる第１の要求プログラム３１３８を実行することによって、第１の要求手段として機能する。
【００７９】
第２の要求プログラム３１３９は、ＣＰＵ３１１に、記憶装置１１ａを接続したホストコンピュータ１に、ＩＤ番号入力装置３２により入力されたＩＤ番号に対応付けられた個人情報の送信を要求する機能を実現させる。
ＣＰＵ３３１は、かかる第２の要求プログラム３１３９を実行することによって、第２の要求手段として機能する。
【００８０】
ＩＤカード発行装置３ａのプリント装置３３ａは、プリント手段として、第１の要求プログラム３１３８を実行したＣＰＵ３１１からの要求に基づいて、撮影装置２ａの送信プログラム２１３６ａの実行により送信された顔画像情報と、第２の要求プログラム３１３９を実行したＣＰＵ３１１からの要求に基づいて、ホストコンピュータ１の個人情報送信プログラム１１２の実行により送信された個人情報とに基づく画像を、ＩＤカードにプリントする。
【００８１】
＜処理＞
次に、ＩＤカード再発行システム１０００ａにおける処理（ＩＤカード発行処理、ＩＤカード再発行処理）について説明する。
ここで、ＩＤカード再発行システム１０００ａには、例えば、図４に示すように、一つのホストコンピュータ１と、二つの撮影装置２Ａａ，２Ｂａと、一つのＩＤカード発行装置３ａとが備えられているとする。そして、例えば、撮影装置２Ａａの撮影装置識別番号は「０１」、撮影装置２Ｂａの撮影装置識別番号は「０２」であるとする。
【００８２】
＜ＩＤカード発行処理＞
まず、ＩＤカード再発行システム１０００ａにおける、ＩＤカードの発行に関する処理について、図５のフローチャートを参照して説明する。
【００８３】
まず、ＩＤ番号が入力されて、当該ＩＤ番号によって識別された申請者のＩＤカードを発行するよう指示されると（ステップＳ３１）、撮影装置２ａ（例えば、撮影装置２Ａａ）のＣＰＵ２１１は、要求・取得プログラム２１３７を実行して、ホストコンピュータ１に、当該入力されたＩＤ番号を送信して、当該ＩＤ番号に対応付けられた個人情報の送信を要求する（ステップＳ３２）。
【００８４】
撮影装置２ＡａのＣＰＵ２１１から送信されたＩＤ番号を受信すると（ステップＳ３３）、ホストコンピュータ１は、記憶装置１１ａに格納された個人情報送信プログラム１１２を実行して、記憶装置１１ａに格納された個人情報データベース１１１を検索して、当該受信したＩＤ番号に対応付けられた個人情報を取得し（ステップＳ３４）、ステップＳ３３で受信したＩＤ番号と、ステップＳ３４で取得した個人情報とを、撮影装置２Ａａに送信する（ステップＳ３５）。
【００８５】
ホストコンピュータ１から送信されたＩＤ番号及び個人情報を受信すると（ステップＳ３６）、撮影装置２ＡａのＣＰＵ２１１は、顔画像情報データベース２１３２から、ステップＳ３１で入力されたＩＤ番号に対応付けられた顔画像情報を取得する（ステップＳ３７）。
【００８６】
次いで、ＣＰＵ２１１は、送信プログラム２１３６ａを実行して、ステップＳ３１で入力されたＩＤ番号と、ステップＳ３６で受信した個人情報と、ステップＳ３７で取得した顔画像情報と、撮影装置２Ａａを識別する撮影装置識別番号（「０１」）とを、ＩＤカー
ド発行装置３ａに送信する（ステップＳ３８）。
【００８７】
撮影装置２ＡａのＣＰＵ２１１から送信されたＩＤ番号、個人情報、顔画像情報及び撮影装置識別番号を受信すると（ステップＳ３９）、ＩＤカード発行装置３ａのＣＰＵ３１１は、撮影装置識別情報データベース３１３１に、当該受信したＩＤ番号と撮影装置識別番号とを対応付けて記憶させる（ステップＳ４０）。
【００８８】
次いで、ＣＰＵ３１１は、プリント装置３３ａに、ステップＳ３９で受信した、ＩＤ番号、個人情報及び顔画像情報に基づく画像を、ＩＤカードにプリントさせて、ＩＤカードを発行し（ステップＳ４１）、本処理を終了する。
【００８９】
＜ＩＤカード再発行処理＞
次に、ＩＤカード再発行システム１０００ａにおける、ＩＤカードの再発行に関する処理について、図６のフローチャートを参照して説明する。
【００９０】
まず、ＩＤカード発行装置３ａのオペレータが、ＩＤ番号入力装置３２を操作して、ＩＤカードの再発行を申請した申請者のＩＤ番号を入力すると（ステップＳ５１）、ＩＤカード発行装置３ａのＣＰＵ３１１は、抽出プログラム３１３６を実行して、撮影装置識別情報データベース３１３１を検索して、当該入力されたＩＤ番号に対応付けられた撮影装置識別番号を抽出する（ステップＳ５２）。
具体的には、例えば、ステップＳ５２で、撮影装置識別番号「０１」が抽出されたとする。
【００９１】
次いで、ＣＰＵ３１１は、第１の要求プログラム３１３８を実行して、ステップＳ５２で抽出された撮影装置識別番号（「０１」）によって識別された撮影装置２ａ（撮影装置２Ａａ）に、ステップＳ５１で入力されたＩＤ番号を送信して、当該ＩＤ番号に対応付けられた顔画像情報の送信を要求する（ステップＳ５３）。
【００９２】
ＩＤカード発行装置３ａのＣＰＵ３１１から送信されたＩＤ番号を受信すると（ステップＳ５４）、撮影装置２ＡａのＣＰＵ２１１は、送信プログラム２１３６ａを実行して、顔画像情報データベース２１３２を検索して、当該受信したＩＤ番号に対応付けられた顔画像情報を抽出し（ステップＳ５５）、ステップＳ５４で受信したＩＤ番号と、ステップＳ５５で抽出した顔画像情報とを、ＩＤカード発行装置３ａに送信する（ステップＳ５６）。
【００９３】
また、顔画像情報の送信の要求とは別個に、ＣＰＵ３１１は、第２の要求プログラム３１３９を実行して、ホストコンピュータ１に、ステップＳ５１で入力されたＩＤ番号を送信して、当該ＩＤ番号に対応付けられた個人情報の送信を要求する（ステップＳ５７）。
【００９４】
ＩＤカード発行装置３ａのＣＰＵ３１１から送信されたＩＤ番号を受信すると（ステップＳ５８）、ホストコンピュータ１は、記憶装置１１ａに格納された個人情報送信プログラム１１２を実行して、記憶装置１１ａに格納された個人情報データベース１１１を検索して、当該受信したＩＤ番号に対応付けられた個人情報を取得し（ステップＳ５９）、ステップＳ５８で受信したＩＤ番号と、ステップＳ５９で取得した個人情報とを、ＩＤカード発行装置３ａに送信する（ステップＳ６０）。
【００９５】
撮影装置２ＡａのＣＰＵ２１１から送信されたＩＤ番号及び顔画像情報を受信し（ステップＳ６１）、ホストコンピュータ１から送信されたＩＤ番号及び個人情報を受信すると（ステップＳ６２）、ＩＤカード発行装置３ａのＣＰＵ３１１は、プリント装置３３ａに、当該受信したＩＤ番号、個人情報及び顔画像情報に基づく画像を、ＩＤカードにプリン
トさせて、ＩＤカードを再発行し（ステップＳ６３）、本処理を終了する。
【００９６】
以上説明した第２の実施の形態のＩＤカード再発行システム１０００ａによれば、ＩＤカード発行装置３ａが備えるＩＤ番号入力装置３２によって、ＩＤカードの再発行を申請した申請者のＩＤ番号を入力することができる。そして、ＩＤカード発行装置３ａが備えるプリント装置３３ａによって、ＩＤカードの発行（１回目の発行）の際に使用した顔画像情報と、記憶装置１１ａから取得した個人情報とに基づく画像を、ＩＤカードにプリントすることができる。したがって、オペレータは、ＩＤカード発行装置３ａが設置された場所から移動することなく、再発行されたＩＤカードを入手することができる。すなわち、手間と時間をかけることなくＩＤカードを再発行することができる。
さらに、ＩＤカードの再発行（２回目以降の発行）の際に使用する個人情報は、記憶装置１１ａから取得したものである。したがって、例えば、発行から再発行までの間に個人情報が更新されても、当該更新された新しい個人情報を、再発行するＩＤカードに、自動的に反映することができることとなる。すなわち、より一層、手間と時間をかけることなくＩＤカードを再発行することができる。
【００９７】
[第３の実施の形態]
次に、第３の実施の形態について説明する。
【００９８】
＜ＩＤカード再発行システムの構成＞
まず、ＩＤカード再発行システム１０００ｂの構成を、図７を参照して説明する。
なお、第３の実施の形態のＩＤカード再発行システム１０００ｂの特徴は、第１の実施の形態のＩＤカード再発行システム１０００（図１）における、ＩＤカード発行装置３のＥＷＳ３１の記憶部３１３が異なる点、ＩＤカード発行装置３のプリント装置３３が異なる点である。したがって、異なる箇所のみについて説明し、その他の共通する部分は同一符号を付して説明する。
【００９９】
ＩＤカード再発行システム１０００ｂは、例えば、図７に示すように、ホストコンピュータ１、撮影装置２、ＩＤカード発行装置３ｂなどを備えて構成される。ホストコンピュータ１と、撮影装置２と、ＩＤカード発行装置３ｂとは、ネットワークを介して接続されており、互いに通信可能となっている。
ここで、ＩＤカード発行装置３ｂは、ネットワークを介して接続された、撮影装置２から送信された、ＩＤカードの発行を申請した申請者の個人情報及び当該申請者の顔画像情報に基づく画像をプリントしたＩＤカードを発行する。
【０１００】
ＩＤカード発行装置３ｂのＥＷＳ３１ｂの記憶部３１３ｂは、図７に示すように、第１の実施の形態の記憶部３１３に格納される撮影装置識別情報データベース３１３１の代わりに、申請者情報データベース３１３２を格納し、要求プログラム３１３７の代わりに、取得プログラム３１４０を格納している。なお、記憶部３１３ｂは、第１の実施の形態の記憶部３１３に格納される抽出プログラム３１３６は格納していない。
【０１０１】
申請者情報データベース３１３２は、申請者情報記憶手段として、ＩＤカードの発行（１回目の発行）時に撮影装置２から送信された、申請者を識別するＩＤ番号と、当該申請者の個人情報と、当該申請者の顔画像情報とを対応付けて記憶する。
具体的には、申請者情報データベース３１３２は、ＩＤカードの発行（１回目の発行）時に、撮影装置２のＣＰＵ２１１の送信プログラム２１３６の実行により送信された、撮影装置２の申請者情報データベース２１３１に記憶される、申請者のＩＤ番号と、当該申請者の個人情報と、当該申請者の顔画像情報とを対応付けて記憶する。したがって、申請者情報データベース３１３２は、撮影装置２の申請者情報データベース２１３１と略同一である。
【０１０２】
取得プログラム３１４０は、ＣＰＵ３１１に、申請者情報データベース３１３２を検索して、ＩＤ番号入力装置３２により入力されたＩＤ番号に対応付けられた個人情報及び顔画像情報を取得する機能を実現させる。
ＣＰＵ３１１は、かかる取得プログラム３１４０を実行することによって、取得手段として機能する。
【０１０３】
ＩＤカード発行装置３ｂのプリント装置３３ｂは、プリント手段として、ＣＰＵ３１１の取得プログラム３１４０の実行により取得された個人情報及び顔画像情報に基づく画像を、ＩＤカードにプリントする。
【０１０４】
＜処理＞
次に、ＩＤカード再発行システム１０００ｂにおける処理（ＩＤカード再発行処理）について説明する。
【０１０５】
＜ＩＤカード再発行処理＞
ＩＤカード再発行システム１０００ｂにおける、ＩＤカードの再発行に関する処理について、図８のフローチャートを参照して説明する。
【０１０６】
まず、ＩＤカード発行装置３ｂのオペレータが、ＩＤ番号入力装置３２を操作して、ＩＤカードの再発行を申請した申請者のＩＤ番号を入力すると（ステップＳ７１）、ＩＤカード発行装置３ｂのＣＰＵ３１１は、取得プログラム３１４０を実行して、申請者情報データベース３１３２を検索して、当該入力されたＩＤ番号に対応付けられた個人情報及び顔画像情報を取得する（ステップＳ７２）。
【０１０７】
次いで、ＣＰＵ３１１は、プリント装置３３ｂに、ステップＳ７１で入力されたＩＤ番号と、ステップＳ７２で取得した個人情報及び顔画像情報とに基づく画像を、ＩＤカードにプリントさせて、ＩＤカードを再発行し（ステップＳ７３）、本処理を終了する。
【０１０８】
以上説明した第３の実施の形態のＩＤカード再発行システム１０００ｂ及びＩＤカード発行装置３ｂによれば、ＩＤカード発行装置３ｂが備えるＩＤ番号入力装置３２によって、ＩＤカードの再発行を申請した申請者のＩＤ番号を入力することにより、この申請者の個人情報と顔画像情報を申請者情報データベース３１３２から取得することができ、当該取得された申請者の個人情報と顔画像情報に基づく画像を、ＩＤカードにプリントすることができる。したがって、オペレータは、ＩＤカード発行装置３ｂが設置された場所から移動することなく、再発行されたＩＤカードを入手することができることとなって、手間と時間をかけることなくＩＤカードを再発行することができる。
【０１０９】
[第４の実施の形態]
次に、第４の実施の形態について説明する。
【０１１０】
＜ＩＤカード再発行システムの構成＞
まず、ＩＤカード再発行システム１０００ｃの構成を、図９を参照して説明する。
なお、第４の実施の形態のＩＤカード再発行システム１０００ｃの特徴は、第２の実施の形態のＩＤカード再発行システム１０００ａ（図４）における、ＩＤカード発行装置３ａのＥＷＳ３１ａの記憶部３１３ａが異なる点、ＩＤカード発行装置３ａのプリント装置３３ａが異なる点である。したがって、異なる箇所のみについて説明し、その他の共通する部分は同一符号を付して説明する。
【０１１１】
ＩＤカード再発行システム１０００ｃは、例えば、図９に示すように、記憶装置１１ａ
を接続したホストコンピュータ１、撮影装置２ａ、ＩＤカード発行装置３ｃなどを備えて構成される。ホストコンピュータ１と、撮影装置２ａと、ＩＤカード発行装置３ｃとは、ネットワークを介して接続されており、互いに通信可能となっている。
ここで、ＩＤカード発行装置３ｃは、ネットワークを介して接続された、撮影装置２ａから送信された、ＩＤカードの発行を申請した申請者の顔画像情報と、ネットワークを介して接続された、個人情報データベース１１１を格納した記憶装置１１ａを接続したホストコンピュータ１から送信された、当該申請者の個人情報とに基づく画像をプリントしたＩＤカードを発行する。
【０１１２】
ＩＤカード発行装置３ｃのＥＷＳ３１ｃの記憶部３１３ｃは、図９に示すように、第２の実施の形態の記憶部３１３ａに格納される撮影装置識別情報データベース３１３１の代わりに、顔画像情報データベース３１３３を格納し、第１の要求プログラム３１３８及び第２要求プログラム３１３９の代わりに、第１の取得プログラム３１４１、要求プログラム３１４２及び第２の取得プログラム３１４３を格納している。なお、記憶部３１３ｃは、第２の実施の形態の記憶部３１３ａに格納される抽出プログラム３１３６は格納していない。
【０１１３】
顔画像情報データベース３１３３は、顔画像情報記憶手段として、ＩＤカードの発行（１回目の発行）時に撮影装置２ａから送信された、ＩＤ番号と顔画像情報とを対応付けて記憶する。
具体的には、顔画像情報データベース３１３３は、ＩＤカードの発行（１回目の発行）時に、撮影装置２ａのＣＰＵ２１１の送信プログラム２１３６ａの実行により送信された、撮影装置２ａの顔画像情報データベース２１３２に記憶される、申請者のＩＤ番号と、当該申請者の顔画像情報とを対応付けて記憶する。したがって、顔画像情報データベース３１３３は、撮影装置２ａの顔画像情報データベース２１３２と略同一である。
【０１１４】
第１の取得プログラム３１４１は、ＣＰＵ３１１に、顔画像情報データベース３１３３を検索して、ＩＤ番号入力装置３２により入力されたＩＤ番号に対応付けられた顔画像情報を取得する機能を実現させる。
ＣＰＵ３１１は、かかる第１の取得プログラム３１４１を実行することによって、第１の取得手段として機能する。
【０１１５】
要求プログラム３１４２は、ＣＰＵ３１１に、記憶装置１１ａを接続したホストコンピュータ１に、ＩＤ番号入力装置３２により入力されたＩＤ番号に対応付けられた個人情報の送信を要求する機能を実現させる。
ＣＰＵ３１１は、かかる要求プログラム３１４２を実行することによって、要求手段として機能する。
【０１１６】
第２の取得プログラム３１４３は、ＣＰＵ３１１に、要求プログラム３１４２を実行したＣＰＵ３１１からの要求に基づいて、ホストコンピュータ１の個人情報送信プログラム１１２の実行により送信された、ＩＤ番号入力装置３２により入力されたＩＤ番号に対応付けられた個人情報を取得する機能を実現させる。
ＣＰＵ３１１は、かかる第２の取得プログラム３１４３を実行することによって、第２の取得手段として機能する。
【０１１７】
ＩＤカード発行装置３ｃのプリント装置３３ｃは、プリント手段として、ＣＰＵ３１１の第１の取得プログラム３１４１の実行により取得された顔画像情報と、ＣＰＵ３１１の第２の取得プログラム３１４３の実行により取得された個人情報とに基づく画像を、ＩＤカードにプリントする。
【０１１８】
＜処理＞
次に、ＩＤカード再発行システム１０００ｃにおける処理（ＩＤカード再発行処理）について説明する。
【０１１９】
＜ＩＤカード再発行処理＞
ＩＤカード再発行システム１０００ｃのおける、ＩＤカードの再発行に関する処理について、図１０のフローチャートを参照して説明する。
【０１２０】
まず、ＩＤカード発行装置３ｃのオペレータが、ＩＤ番号入力装置３２を操作して、ＩＤカードの再発行を申請した申請者のＩＤ番号を入力すると（ステップＳ８１）、ＩＤカード発行装置３ｃのＣＰＵ３１１は、第１の取得プログラム３１４１を実行して、顔画像情報データベース３１３３を検索して、当該入力されたＩＤ番号に対応付けられた顔画像情報を取得する（ステップＳ８２）。
【０１２１】
次いで、ＣＰＵ３１１は、要求プログラム３１４２を実行して、ホストコンピュータ１に、ステップＳ８１で入力されたＩＤ番号を送信して、当該ＩＤ番号に対応付けられた個人情報の送信を要求する（ステップＳ８３）。
【０１２２】
ＩＤカード発行装置３ｃのＣＰＵ３１１から送信されたＩＤ番号を受信すると（ステップＳ８４）、ホストコンピュータ１は、記憶装置１１ａに格納された個人情報送信プログラム１１２を実行して、記憶装置１１ａに格納された個人情報データベース１１１を検索して、当該受信したＩＤ番号に対応付けられた個人情報を取得し（ステップＳ８５）、ステップＳ８４で受信したＩＤ番号と、ステップＳ８５で取得した個人情報とを、ＩＤカード発行装置３ｃに送信する（ステップＳ８６）。
【０１２３】
ホストコンピュータ１から送信されたＩＤ番号及び個人情報を、ＩＤカード発行装置３ｃの第２の取得プログラム３１４３を実行したＣＰＵ３１１が受信し取得すると（ステップＳ８７）、ＣＰＵ３１１は、プリント装置３３ｃに、当該受信したＩＤ番号及び個人情報と、ステップＳ８２で取得した顔画像情報とに基づく画像を、ＩＤカードにプリントさせて、ＩＤカードを再発行し（ステップＳ８８）、本処理を終了する。
【０１２４】
以上説明した第４の実施の形態のＩＤカード再発行システム１０００ｃ及びＩＤカード発行装置３ｃによれば、ＩＤカード発行装置３ｃが備えるＩＤ番号入力装置３２によって、ＩＤカードの再発行を申請した申請者のＩＤ番号を入力することができる。そして、ＩＤカード発行装置３ｃが備えるプリント装置３３ｃによって、ＩＤカードの発行（１回目の発行）の際に使用した顔画像情報と、記憶装置１１ａから取得した個人情報とに基づく画像を、ＩＤカードにプリントすることができる。したがって、オペレータは、ＩＤカード発行装置３ｃが設置された場所から移動することなく、再発行されたＩＤカードを入手することができる。すなわち、手間と時間をかけることなくＩＤカードを再発行することができる。
さらに、ＩＤカードの再発行（２回目以降の発行）の際に使用する個人情報は、記憶装置１１ａから取得したものである。したがって、例えば、発行から再発行までの間に個人情報が更新されても、当該更新された新しい個人情報を、再発行するＩＤカードに、自動的に反映することができることとなる。すなわち、より一層、手間と時間をかけることなくＩＤカードを再発行することができる。
【０１２５】
なお、本発明は、上記した実施の形態のものに限るものではなく、その要旨を逸脱しない範囲で適宜変更可能である。
例えば、個人情報の中には、申請者のバイオデータなども含めてよい。
【０１２６】
また、第２の実施の形態において、ＩＤカードを再発行する際、ＩＤカード発行装置３ａが直接、ホストコンピュータ１に接続された記憶装置１１ａから最新の個人情報を取得する構成としたが、撮影装置２ａが記憶装置１１ａから最新の個人情報を取得して、顔画像情報ともにＩＤカード発行装置３ａに送信する構成としてもよい。
【０１２７】
また、第２の実施の形態において、ＩＤカードを発行する際、撮影装置２ａがホストコンピュータ１に接続された記憶装置１１ａから取得した個人情報を、撮影装置２ａの記憶部２１３ａに記憶するようにしてもよい。そして、ＩＤカードを再発行する際、ＩＤカード発行装置３ａは、ホストコンピュータ１に接続された記憶装置１１ａから個人情報を取得するのではなく、撮影装置２ａから顔画像情報とともに個人情報も取得する構成としてもよい。
【０１２８】
また、第１及び第２の実施の形態において、撮影装置（撮影装置２、撮影装置２ａ）とＩＤカード発行装置（ＩＤカード発行装置３、ＩＤカード発行装置３ａ）が１対１に固定的に接続されている場合は、ＩＤカード発行装置の記憶部（記憶部３１３、記憶部３１３ａ）に格納された撮影装置識別情報データベース３１３１は必要なく、すなわち、ＩＤ番号毎に撮影装置を特定する必要はなく、ＩＤカード発行装置に、当該撮影装置の撮影装置識別番号を固定的に記憶させ、常に記憶された撮影装置から情報を取得するようにしてもよい。
【図面の簡単な説明】
【０１２９】
【図１】本発明の第１の実施の形態におけるＩＤカード再発行システムの全体構成を示す図である。
【図２】本発明の第１の実施の形態におけるＩＤカード再発行システムにおける、ＩＤカードの発行に関する処理を説明するためのフローチャートである。
【図３】本発明の第１の実施の形態におけるＩＤカード再発行システムにおける、ＩＤカードの再発行に関する処理を説明するためのフローチャートである。
【図４】本発明の第２の実施の形態におけるＩＤカード再発行システムの全体構成を示す図である。
【図５】本発明の第２の実施の形態におけるＩＤカード再発行システムにおける、ＩＤカードの発行に関する処理を説明するためのフローチャートである。
【図６】本発明の第２の実施の形態におけるＩＤカード再発行システムにおける、ＩＤカードの再発行に関する処理を説明するためのフローチャートである。
【図７】本発明の第３の実施の形態におけるＩＤカード再発行システムの全体構成を示す図である。
【図８】本発明の第３の実施の形態におけるＩＤカード再発行システムにおける、ＩＤカードの再発行に関する処理を説明するためのフローチャートである。
【図９】本発明の第４の実施の形態におけるＩＤカード再発行システムの全体構成を示す図である。
【図１０】本発明の第４の実施の形態におけるＩＤカード再発行システムにおける、ＩＤカードの再発行に関する処理を説明するためのフローチャートである。
【符号の説明】
【０１３０】
１  ホストコンピュータ（個人情報送信手段）
１１  記憶装置
１１１  個人情報データベース
１１２  個人情報送信プログラム（個人情報送信手段）
２，２ａ  撮影装置
２１１  ＣＰＵ（第１の送信手段、第２の送信手段、個人情報要求手段、個人情報取得手段）
２１３１  申請者情報データベース（個人情報記憶手段、顔画像情報記憶手段）
２１３２  顔画像情報データベース（顔画像情報記憶手段）
２１３６，２１３６ａ  送信プログラム（第１の送信手段、第２の送信手段）
２１３７  要求・取得プログラム（個人情報要求手段、個人情報取得手段）
３，３ａ，３ｂ，３ｃ  ＩＤカード発行装置
３２  ＩＤ番号入力装置（入力手段）
３３，３３ａ，３３ｂ，３３ｃ  プリント装置（プリント手段）
３１１  ＣＰＵ（抽出手段、要求手段、第１の要求手段、第２の要求手段、取得手段、第１の取得手段、第２の取得手段）
３１３１  撮影装置識別情報データベース（撮影装置識別情報記憶手段）
３１３２  申請者情報データベース（申請者情報記憶手段）
３１３３  顔画像情報データベース（顔画像情報記憶手段）
３１３６  抽出プログラム（抽出手段）
３１３７  要求プログラム（要求手段）
３１３８  第１の要求プログラム（第１の要求手段）
３１３９  第２の要求プログラム（第２の要求手段）
３１４０  取得プログラム（取得手段）
３１４１  第１の取得プログラム（第１の取得手段）
３１４２  要求プログラム（要求手段）
３１４３  第２の取得プログラム（第２の取得手段）
１０００，１０００ａ，１０００ｂ，１０００ｃ  ＩＤカード再発行システム
【図１】
2006313480.tif 000003
【図２】
2006313480.tif 000004
【図３】
2006313480.tif 000005
【図４】
2006313480.tif 000006
【図５】
2006313480.tif 000007
【図６】
2006313480.tif 000008
【図７】
2006313480.tif 000009
【図８】
2006313480.tif 000010
【図９】
2006313480.tif 000011
【図１０】
2006313480.tif 000012